(57)【要約】      （修正有）【課題】携帯して持ち運べるとともに使い勝手がよく簡便に使用することができるスプレーユニットを提供する。【解決手段】流体が噴射されるスプレー本体２と、スプレー本体２を使用者に装着するための装着部３とを備え、装着部３は、使用者との間隔を伸縮可能に保持する伸縮部材４と、スプレー本体２を使用者から着脱可能に連結する連結部材５のいずれか一方または両方を備える。【選択図】図１
0003228365.tif 000002
【実用新案登録請求の範囲】
【請求項１】
流体が噴射されるスプレー本体と、
前記スプレー本体を使用者に装着するための装着部と、
を備え、
前記装着部は、前記使用者と前記スプレー本体との間隔を伸縮可能に保持する伸縮部材と、前記スプレー本体を前記使用者から着脱可能に連結する連結部材のいずれか一方または両方を備えることを特徴とするスプレーユニット。
【請求項２】
前記スプレー本体は、前記流体を噴射する噴射ノズルと前記噴射ノズルに連動するハンドルとを備え、
前記使用者がハンドルを操作すると、前記噴射ノズルから前記流体が噴射されることを特徴とする請求項１記載のスプレーユニット。
【請求項３】
前記流体は、微生物又はウイルスの少なくともいずれか一方を取り除く除菌用液体であることを特徴とする請求項１または２記載のスプレーユニット。
【考案の詳細な説明】
【技術分野】
【０００１】
本考案は携帯して持ち運べるとともに簡便に使用することができるスプレーユニットに関する。
【背景技術】
【０００２】
現在、除菌用スプレー、防犯用スプレー、虫よけスプレー等の様々な用途のスプレーが存在し、これらのスプレーは例えば特許文献１に記載されているように携帯用として持ち運び可能に設けられているものもある。
【先行技術文献】
【特許文献】
【０００３】
【特許文献１】特許第４５９５０２７号
【考案の概要】
【考案が解決しようとする課題】
【０００４】
しかし、実際に使用者が当該スプレーを携帯する場合には、カバンやポケット等に収容した状態で持ち運ぶことが多いため、例えば防犯や猛獣撃退等の緊急性が生じる用途において携帯しているスプレーを即座に使用したい場合があっても、カバンやポケットから取り出す手間がかかり、スプレーを使用するまでに時間がかかるという問題がある。
【０００５】
また、新型コロナウイルス（ＣＯＶＩＤ−１９）が流行し、こまめに手指の消毒や身の回りの除菌等を行う必要がある現代において、使用のたびに除菌スプレーをカバンやポケット等から取り出すとなると、手間がかかるために自ずと除菌回数が減ってしまい、十分な新型コロナ対策を行うことが出来なくなるという問題も生じうる。
【０００６】
本考案は上述した問題を解決するためになされたものであって、携帯して持ち運べるとともに手間がかからずに簡便に使用することができるスプレーユニットを提供することをその主たる目的とする。
【課題を解決するための手段】
【０００７】
本考案のスプレーユニットは、流体が噴射されるスプレー本体と、前記スプレー本体を使用者に装着するための装着部とを備え、前記装着部は、前記使用者と前記スプレー本体との間隔を伸縮可能に保持する伸縮部材と、前記スプレー本体を前記使用者から着脱可能に連結する連結部材のいずれか一方または両方を備えることを特徴とする。
【０００８】
上述の構成により、本考案のスプレーユニットは、スプレー本体を使用者に装着する装着部を備えるので、従来のようにカバンやポケットにスプレー本体を収容する必要がなく、使用したい時に即時に使用することができる。
【０００９】
上述の構成において、装着部が伸縮部材を備える場合には、使用者はスプレー本体を所望の位置まで移動させることができ、また使用後は伸縮部材が縮んでスプレー本体を元の位置に戻すことができる。そのため、かばんやポケットから取り出す等の煩雑な動作が必要なく、簡便に使用することができる。また、装着部が連結部材を備える場合には、使用する際、使用者がスプレー本体を該連結部材から容易に外すことができ、簡便に使用することができる。さらに、装着部が伸縮部材と連結部材の両方を備える場合には、使用態様の選択肢が増えることとなり、使用者の使い勝手をさらに向上させることができる。
【００１０】
本考案の具体的な一実施形態としては、前記スプレー本体は、前記流体を噴射する噴射ノズルと前記噴射ノズルに連動するハンドルとを備え、前記使用者がハンドルを操作すると、前記噴射ノズルから前記流体が噴射されるものを挙げることができる。
【００１１】
上述の構成により、使用者はハンドルを操作するだけで噴射ノズルから流体を噴射することができる。そのため、使用者は所謂ワンプッシュ動作でスプレー本体に収容された流体を噴射することができるので、さらに使用者の利便性を高めることができる。
【００１２】
本考案の具体的な一実施形態としては、流体は、微生物又はウイルスの少なくともいずれか一方を取り除く除菌用液体であるものを挙げることができる。
【００１３】
上述の構成により、新型コロナウイルス対策として本考案のスプレーユニットを使用することができ、本考案のスプレーユニットは上述したように簡便に使用できるので除菌回数を増やして、新型コロナ対策を行うことができる。
【考案の効果】
【００１４】
本考案のスプレーユニットは、携帯して持ち運べるとともに使い勝手がよく簡便に使用することができる。
【図面の簡単な説明】
【００１５】
【図１】本考案のスプレーユニットを示す概略図。
【図２】本考案のスプレー本体の概略図。
【図３】本考案のスプレーユニットの伸縮部材における使用状態を示す概略図。
【図４】本考案のスプレーユニットの連結部材における使用状態を示す概略図。
【考案を実施するための形態】
【００１６】
本考案のスプレーユニット１について、以下図面を参照しながら詳細に説明する。
【００１７】
本考案のスプレーユニット１は、使用者に装着して使用されるものであって、図１、図３及び図４に示すように、流体が噴射されるスプレー本体２と、スプレー本体２を使用者に装着するための装着部３とを備える。
【００１８】
スプレー本体２は、図２に示すように、流体が収容される収容空間が設けられた容器２ａと、流体を噴射する噴射ノズル２ｂと、容器２ａに挿入されて容器２ａの収容空間と噴射ノズル２ｂとを連通する管体２ｃと、管体２ｃに設けられて流体を一時的に貯留する貯留空間を備える貯留部２ｄと、噴射ノズル２ｂに連動するハンドル２ｅとを備える。
【００１９】
貯留部２ｄはシリンダー２０及びシリンダー２０に配置されるプランジャー２１を備える。シリンダー２０の内部は流体を一時的に貯留する貯留空間となっている。また、シリンダー２０は、鉛直方向において管体２ｃに挟まれるとともに管体２ｃと連通しており、鉛直方向下側に配置する管体２ｃを通じて容器２ａの収容空間に連通する。また、鉛直方向上側は管体２ｃを通じて噴射ノズル２ｂに連通する。シリンダー２０の開口面にはプランジャー２１の一側端が挿入して配置されており、プランジャー２１の他側端はハンドル２ｅに連結されている。
【００２０】
使用者がハンドル２ｅを容器２ａ側に引くように操作すると、プランジャー２１が押圧されて、シリンダー２０の貯留空間及び管体２ｃの空気が噴射ノズル２ｂから送出されシリンダー２０及び管体２ｃが真空となる。これにより容器２ａの収容空間に収容された流体が、管体２ｃを通ってシリンダー２０の貯留空間に貯留される。そして、再度、使用者がハンドル２ｅを容器２ａ側に引くように操作すると、プランジャー２１がシリンダー２０の貯留空間に侵入して貯留空間の内圧が上がる。これにより、貯留空間に貯留された流体が管体２ｃを通って噴射ノズル２ｂに送出されて、噴射ノズル２ｂから流体が噴射される。
【００２１】
装着部３は、図１、図３及び図４に示すように、使用者との間隔を伸縮可能に保持する伸縮部材４と、スプレー本体２を使用者から着脱可能に連結する連結部材５とを備える。
【００２２】
伸縮部材４は、扁平な略楕円形状をなし内部空間が設けられたカバー６と、該カバー６の一側面に設けられて使用者に装着される係止部７と、カバー６の内部空間に配置されてカバー６の他側面に設けられた開口から終端部が突出して配置される長尺なコード８と、カバー６の内部空間に配置されてコード８を巻き取る巻き取り機構（不図示）とを備える。このコード８の終端部は円環形状の第１リング体９を通して連結部材５に接続されている。
【００２３】
係止部７は、カバー６に隣接する略半円形状の間隙１０の開口端縁に配置されカバー６に接続される枠体７ａと、枠体７ａと連続して設けられ使用者が押圧すると、間隙１０の内部に移動して間隙１０を外部に連通させる移動体７ｂとを備える。この移動体７ｂは弾性部材を備えており、使用者が押圧をやめると枠体７ａと連続して配置する位置に戻り、間隙１０が閉じた状態となる。これにより、使用者はスプレー本体２を装着したい際には、移動体７ｂを押圧して間隙１０に衣服やカバンの一部を配置すれば、衣服やカバンに本考案のスプレーユニット１を取り付けることができる。
【００２４】
巻き取り機構は、中心にゼンマイバネが配置されるとともに、この周囲を長尺なコード８が巻回して構成される。これにより、使用者とスプレー本体２との距離が延びると、図３に示すように、スプレー本体２に接続する連結部材５及び第１リング体９を介してコード８がカバー６から送出されてゼンマイバネが縮む。その後、ゼンマイバネの復元力によってコード８が巻き取られて図１に示すようにカバー６の内部に収容されるので、使用者とスプレー本体２との距離が縮む。
【００２５】
連結部材５は、図１、図３及び図４に示すように、相対して配置される一対の第１連結体５ａと第２連結体５ｂとを備える。第１連結体５ａ及び第２連結体５ｂはそれぞれ円柱形状をなすハウジングとハウジングの内部に配置される磁石（不図示）とを備える。本実施形態においては、この磁石にネオジウム磁石が用いられているが、磁石の種類は特にこれに限定されるものではない。
【００２６】
第１連結体５ａの一側部にはスプレー本体２に接続するための二重の円環形状をなす第２リング体１１が設けられ、他側部は第２連結体５ｂと対向して配置されている。また、第２連結体５ｂの一側面には伸縮部材４に接続するための第１リング体９が設けられ、他側部は第１連結体５ａと対向して配置されている。
【００２７】
第１連結体５ａと第２連結体５ｂとは磁力によって連結されており、これにより、スプレー本体２と使用者とは、第１連結体５ａ、第２連結体５ｂ及び伸縮部材４を介して連結される。図４に示すように、使用者が必要に応じて第１連結体５ａと第２連結体５ｂとの連結を取り外せば、スプレー本体２を使用者から取り外すことができる。このとき、スプレー本体２には第１連結体５ａは接続された状態であり、第２連結体５ｂは伸縮部材４を介して使用者に接続された状態となる。
【００２８】
上述のように構成した本考案のスプレーユニット１によれば、使用者に装着する装着部３を備えるため、わざわざカバンやポケットにスプレーを収容する必要がなく、使用したい時に即時に使用することができる。また、装着部３が伸縮部材４を備えるので、使用者はスプレー本体２を所望の位置まで移動させることができ、また使用後は伸縮部材４の復元力によってスプレー本体２を元の位置に戻すことができる。そのため、かばんやポケットから取り出す等の煩雑な動作が必要なく、簡便に使用することができる。
【００２９】
さらに、スプレー本体２を使用者から着脱可能に連結する連結部材５を備えるので、使用者がスプレー本体２を外したい場合には、第１連結体５ａと第２連結体５ｂとの連結を外せば、スプレー本体２を使用者から容易に外すことができ、使用者の使い勝手をさらに向上させることができる。
【００３０】
加えて、使用者はハンドル２ｅを操作するだけで噴射ノズル２ｂから流体を噴射することができるので、所謂ワンプッシュ動作で流体を噴射して、さらに使用者の利便性を高めることができる。
【００３１】
本考案のスプレー本体２に収容される流体は、特に限定されるものではなく、除菌用流体、防犯用流体、猛獣撃退用流体、虫よけ用流体、殺虫用流体、調味料、冷却用流体、制汗用流体、口臭対策用流体、花粉・ほこり対策用流体、手洗い用流体、自動車関係用流体、防水防滴用流体、塗装用流体、清掃用流体、園芸用・農業用流体、美容用流体等の様々な用途に使用することができる。
【００３２】
特に本考案のスプレー本体２に収容される流体に、微生物又はウイルスの少なくともいずれか一方を取り除く除菌用液体を用いれば、使用者は手間をかけることなくこまめな除菌を行うことができ、新型コロナウイルス（ＣＯＶＩＤ−１９）への対策を行うことができる。
【００３３】
加えて、従来の携帯用スプレーは持ち運びしやすいように軽量・小型に構成されているものが多く使用回数が限られてしまい、空になったスプレーに流体を充填する手間が増えるという問題がある。しかし、本考案に用いられるスプレー本体はその大きさに関わらず、装着部によって使用者に装着することができるため、スプレー本体を軽量・小型に構成する必要がなく上述した問題を解消することができる。
【００３４】
本考案は上述の実施形態に限られたものではない。
【００３５】
例えば、スプレー本体は上述したハンドル式の構成に限られたものではなく、噴射ノズルを押圧して流体を噴霧するプッシュ式の構成のものであってもよい。また、スプレー本体に圧縮ガスが充填された圧縮ガス式の構成ものを採用しても、もちろん構わない。
【００３６】
また、伸縮部材は上述の構成に限られず、例えばバネのようなもので構成されていてもよく、連結部材の連結機構も上述の構成にとらわれず、スプレー本体を使用者から取り外せるもの（例えば、雄ねじと雌ねじを有するねじ込み式の連結機構など）であればよい。
【００３７】
上述の実施形態では、第１リング及び第２リングを介してスプレー本体、連結部材及び伸縮部材が接続されていたが、上述の構成に限られず、スプレー本体、連結部材及び伸縮部材が接続される構成であればよく、例えば連結部材と伸縮部材とが一体に構成されていてもよい。
【００３８】
係止部の構造も上述の実施形態にとらわれず、使用者に装着できる構造のものであればよい。
【００３９】
さらに、上述の実施形態では、装着部が伸縮部材と連結部材の各構成を両方とも備える態様のものを例示したが、装着部が伸縮部材のみを備える態様で実施することとしても構わない。このような態様の装着部を採用することで、スプレー本体の取り外しを想定していない場面（例えば、高所作業時など）での使用において、スプレー本体が落下するといった事故を防ぐことが可能となる。
【００４０】
あるいは、装着部が連結部材のみを備える態様で実施することとしても構わない。このような態様の装着部を採用することで、スプレー本体の重量に関する制限を緩和することができる。
【００４１】
上述の実施形態のように装着部が伸縮部材を備える場合、スプレー本体の重量に抗して復元力が作用するゼンマイバネを使用しないと、所期する効果が得られない。その反面、ゼンマイバネの復元力（弾性力）が大きすぎると、使用者がスプレー本体を所望の位置まで移動させて使用するのにも相応の力が必要となり、かえって使い勝手が悪くなることも想定される。したがって、上述の実施形態では、スプレー本体の重量が適正範囲に制限される。
【００４２】
これに対して、装着部が連結部材のみを備える態様のものであれば、スプレー本体を使用者から取り外すときに力を加えればよいため、ゼンマイバネの復元力（弾性力）を考慮する必要がなく、その結果、上述した実施形態のものと比較してスプレー本体の重量に関する制限が緩和されるのである。
【００４３】
本考案は、その趣旨を逸脱しない範囲で当業者の知識に基づいて種々なる改良、修正、又は変形を加えた態様でも実施することができる。
【符号の説明】
【００４４】
１・・・スプレーユニット
２・・・スプレー本体
３・・・装着部
４・・・伸縮部材
５・・・連結部材
【図１】
0003228365.tif 000003
【図２】
0003228365.tif 000004
【図３】
0003228365.tif 000005
【図４】
0003228365.tif 000006